(57)【特許請求の範囲】
【請求項１】
子陳列台と親陳列台の組み付け体を有し、
該子陳列台は、第１天板と、該第１天板と同形状であって対峙位置の第１底板と、該第１天板と該第１底板を連結し、前端は該第１天板の前端より後方に位置し、且つ該第１天板の左右方向の中央部に形成される板状体又は柱状体である第１連結体とを有し、
該親陳列台は、該第１天板より大面積の第２天板と、該第２天板と対峙位置の第２底板と、該第２天板と該第２底板を連結する第２連結体とを有し、内部に該子陳列台を収容する内部空間を有し、
該親陳列台の後部側には、該第２天板の後方端からくり抜かれた該第１天板に対応するくり抜き部を有し、
該第２天板のくり抜き部には、該第２天板の裏面と面一又は下方の載置面を有する前後側の載置部又は該第２天板の裏面と面一又は下方の載置面を有する左右側の載置部が現れており、
該親陳列台の内部空間に該子陳列台が収容された場合、該第１天板と該第２天板とが面一となり、該載置部に該子陳列台の第１底板が載せられた場合、該第２天板と該第１底板が面一となることを特徴とする組み付け商品陳列台。
【請求項２】
該載置部は、くり抜き部の端から内側へ突出していることを特徴とする請求項１記載の組み付け商品陳列台。
【請求項３】
該第２天板には、把手用の貫通孔が形成されていることを特徴とする請求項１記載の組み付け商品陳列台。
【請求項４】
該第１天板には、把手用の貫通孔が形成されていることを特徴とする請求項１記載の組み付け商品陳列台。
【請求項５】
該第１底板には、把手用の貫通孔が形成されていることを特徴とする請求項１記載の組み付け商品陳列台。
【請求項６】
該くり抜き部は、該第２天板及び該第２底板の後方端からくり抜かれ、該第１天板と該第１底板に対応するものであることを特徴とする請求項１記載の組み付け商品陳列台。
【請求項７】
請求項１記載の組み付け商品陳列台において、該親陳列台の上方に該子陳列台を位置させ、該子陳列台を前方傾斜姿勢で下方へ下ろし、該親陳列台の内部空間に挿入し、該親陳列台の該前後側の載置部に、該子陳列台の第１天板の裏面を当接させて、該第１天板と該第２天板を面一とすることを特徴とする組み付け商品陳列台の組み付け方法。
【請求項８】
請求項１記載の組み付け商品陳列台において、該親陳列台の上方に該子陳列台を位置させ、該子陳列台を横傾斜姿勢で下方へ下ろし、該親陳列台の内部空間に挿入し、該親陳列台の該左右側の載置部に、該子陳列台の第１天板の裏面を当接させて、該第１天板と該第２天板を面一とすることを特徴とする組み付け商品陳列台の組み付け方法。
【発明の詳細な説明】
【技術分野】
【０００１】
本発明は、スーパーなどで使用される２つの陳列形態を採り得る組み付け商品陳列台及びその組み付け方法に関するものである。
【背景技術】
【０００２】
スーパーや量販店で使用される商品陳列台としては、所謂ゴンドラと称される上下多段の陳列台、大陳列面を有する平台、傾斜状の陳列台あるいはひな壇状の陳列台が知られている（特許文献１〜特許文献６）。
【０００３】
一方、近年、売り場における商品の陳列の演出を高めるために、陳列台の入れ替えや模様替え等を行いたい場合がある。すなわち、上下多段の陳列台に代えて、ひな壇状の陳列台を増やす場合や、逆にひな壇状の陳列台に代えて、大きな陳列面積を有する平台を増やす場合等である。更に、陳列台の入れ替えには、現時点では不要であっても、将来の使用に備えて、保管場所に陳列台の保管を行うことがある。
【先行技術文献】
【特許文献】
【０００４】
【特許文献１】特開２００６−１４１６６４号公報
【特許文献２】特開２００６−３４５５２号公報
【特許文献３】特開２００６−１５０４３号公報
【特許文献４】特開２００５−３３４６１３号公報
【特許文献５】特開２００５−１５２３８９号公報
【特許文献６】特開２００３−１３５２３０号公報
【発明の開示】
【発明が解決しようとする課題】
【０００５】
しかしながら、従来の商品陳列台では、１台の商品陳列台において、２種以上の陳列形態の選択ができると共に、保管時のスペースを小さく採れるという点では、十分ではないという問題があった。
【０００６】
従って、本発明の目的は、１台（１組み）の商品陳列台において、２種以上の陳列形態の選択ができ、且つ不使用時、コンパクト化が可能な組み付け商品陳列台及びその組み付け方法を提供することにある。
【課題を解決するための手段】
【０００７】
すなわち、本発明は、上記従来の課題を解決するものであって、子陳列台と親陳列台の組み付け体を有し、該子陳列台は、第１天板と、該第１天板と同形状であって対峙位置の第１底板と、該第１天板と該第１底板を連結する第１連結体とを有し、該親陳列台は、該第１天板より大面積の第２天板と、該第２天板と対峙位置の第２底板と、該第２天板と該第２底板を連結する第２連結体とを有し、内部に該子陳列台を収容する内部空間を有し、該親陳列台の後部側には、該第２天板の後方端からくり抜かれた該第１天板に対応するくり抜き部を有し、該第２天板のくり抜き部には、該第２天板の裏面と面一又は下方の載置面を有する前後側の載置部又は該第２天板の裏面と面一又は下方の載置面を有する左右側の載置部が現れており、該親陳列台の内部空間に該子陳列台が収容された場合、該第１天板と該第２天板とが面一となり、該載置部に該子陳列台の第１底板が載せられた場合、該第２天板と該第１底板が面一となることを特徴とする組み付け商品陳列台を提供するものである。
【０００８】
また、本発明は、該第１連結体は、該第１天板及び該第１底板の左右方向の中央部に形成される板状体又は柱状体であることを特徴とする前記組み付け商品陳列台を提供するものである。
【０００９】
また、本発明は、該載置部は、くり抜き部の端から内側へ数十ｍｍ、突出していることを特徴とする前記組み付け商品陳列台を提供するものである。
【００１０】
また、本発明は、該第２天板には、把手用の貫通孔が形成されていることを特徴とする前記組み付け商品陳列台を提供するものである。
【００１１】
また、本発明は、該第１天板には、把手用の貫通孔が形成されていることを特徴とする前記組み付け商品陳列台を提供するものである。
【００１２】
また、本発明は、該第１底板には、把手用の貫通孔が形成されていることを特徴とする前記組み付け商品陳列台を提供するものである。
【００１３】
また、本発明は、該くり抜き部は、該第２天板及び該第２底板の後方端からくり抜かれ、該第１天板と該第１底板に対応するものであることを特徴とする前記組み付け商品陳列台を提供するものである。
【００１４】
また、本発明は、前記組み付け商品陳列台において、該親陳列台の上方に該子陳列台を位置させ、該子陳列台を前方傾斜姿勢で下方へ下ろし、該親陳列台の内部空間に挿入し、該親陳列台の該前後側の載置部に、該子陳列台の第１天板の裏面を当接させて、該第１天板と該第２天板を面一とすることを特徴とする商品陳列台の組み付け方法を提供剃るものである。
【００１５】
また、本発明は、前記組み付け商品陳列台において、該親陳列台の上方に該子陳列台を位置させ、該子陳列台を横傾斜姿勢で下方へ下ろし、該親陳列台の内部空間に挿入し、該親陳列台の該左右側の載置部に、該子陳列台の第１天板の裏面を当接させて、該第１天板と該第２天板を面一とすることを特徴とする商品陳列台の組み付け方法を提供するものである。
【発明の効果】
【００１６】
本発明によれば、親陳列台の載置部に子陳列台の第１底板を載せて第２天板と第１底板が面一となる陳列面が段差のある第１の陳列形態と、親陳列台の内部空間に子陳列台を収納して第１天板と第２天板とが面一となる大陳列面を形成する第２の陳列形態を選択できる。また、第２の陳列形態では、子陳列台が親陳列台の内部空間に収納されており、保管の際には上方空間が空き、省スペース化が図れる。また、本発明によれば、親陳列台の平面視の大きさの範囲内における上下方向の空間内において、親陳列台と子陳列台の組み付けが可能となる。
【図面の簡単な説明】
【００１７】
【図１】本発明の第１の実施の形態における商品陳列台の組み付け前の斜視図である。
【図２】図１の商品陳列台における子陳列台の斜視図である。
【図３】図１の商品陳列台における親陳列台の斜視図である。
【図４】図１の商品陳列台における親陳列台の他の斜視図である。
【図５】図１の商品陳列台における第１の陳列形態の斜視図である。
【図６】図１の商品陳列台における第１の陳列形態の他の斜視図である。
【図７】親陳列台に子陳列台を組み付ける方法を説明する図である。
【図８】親陳列台に子陳列台を組み付ける方法を説明する他の図である。
【図９】親陳列台に子陳列台を組み付ける方法を説明する他の図である。
【図１０】親陳列台に子陳列台を組み付ける方法を説明する他の図である。
【図１１】本発明の第２の実施の形態における商品陳列台の斜視図である。
【図１２】親陳列台の変形例を示す斜視図である。
【図１３】親陳列台の変形例を示す他の斜視図である。
【図１４】本発明の第３の実施の形態における商品陳列台の斜視図である。
【図１５】図１４の商品陳列台の他の斜視図である。
【図１６】載置部の変形例を示す図である。
【図１７】親陳列台に子陳列台を組み付ける方法を説明する他の図である。
【図１８】親陳列台に子陳列台を組み付ける方法を説明する他の図である。
【図１９】本発明の第４の実施の形態における商品陳列台の斜視図である。
【図２０】本発明の第５の実施の形態における商品陳列台の背面図である。
【図２１】図２０の商品陳列台の他の背面図である。
【発明を実施するための形態】
【００１８】
次に、本発明の実施の形態における組み付け商品陳列台（以下、単に「商品陳列台」とも称する。）を図１〜図１０を参照して説明する。本明細書において、前後及び左右は使用状態における正面から見た方向を言う。商品陳列台１０は、子陳列台１と親陳列台２の組み付け体を包含するものである。子陳列台１は、図１及び図２に示すように、第１天板１１と、第１天板１１と同形状であって上下方向における対峙位置の第１底板１２と、第１天板１１と第１底板１２を連結する第１連結体１３とを有する。第１天板１１と第１底板１２は、板厚が同じであれば、形状等は特に制限されず、本例では、四角形又は長方形で、前方の両角がアール形状となったものである。本発明において、このアール形状は任意の構成要素である。
【００１９】
第１連結体１３は、いわゆる連結柱であり、本例では、前後方向に延びる縦板１３１と左右方向に延びる横板１３２の平面視がＴ字形状の柱であり、第１連結体１３の前端１３１ａは第１天板１１の前端１１ａより後方に位置し、且つ第１天板１１の左右方向の中央部に位置するものである。第１連結体１３の前端１３１ａを第１天板１１の前端１１ａより後方に位置させることで、親陳列台２の内部空間に子陳列台１を収納する際、前方載置部３を避けることができる。従って、前方載置部３の左右方向の中央部が切り欠かれたものであれば、第１連結体１３の前端１３１ａは、第１天板１１の前端１１ａと同じであってもよい。また、第１連結体１３を第１天板１１の左右方向の中央部とすることで、子陳列台１と親陳列台２を組み付けた際、より大きな陳列面積を採ることができる。従って、第１連結体１３の形状及び設置位置は、親陳列台２の内部空間に子陳列台１を収納する際、前方載置部３及び後方載置部４を回避するものであれば、特に制限されない。
【００２０】
また、子陳列台１の第１天板１１及び第１底板１２の左右方向の端部近傍には、把手用の１対の貫通孔１４、１５が形成されている。これにより、子陳列台１の取り外し、取り付けが容易となる。第１底板１２に貫通孔１５を設けることで、第１天板１１と同形状となり、部品の種類を減らせる。
【００２１】
親陳列台２は、図３及び図４に示すように、第１天板１１より大面積の第２天板２１と、第２天板２１と同形状であって上下方向の対峙位置の第２底板２２と、第２天板２１と第２底板２２を連結する第２連結体２３とを有し、内部に子陳列台１を収容する内部空間Ｘを有する。なお、親陳列台２が、床等の設置面に置かれる場合、第２底板２２は、第２天板２１と同形状でなくともよい。
【００２２】
第２連結体２３は、本例では、第２連結体２３の前端２３１ａは第２天板２１の前端２１ａより後方に位置し、内部空間Ｘを包囲する壁体である。第２連結体２３の前端２３１ａを第２天板２１の前端２１ａより後方に位置させることで、仮に、親陳列台２が子陳列台となった際、親陳列台の内部空間に収納する際、前方載置部を避けることができる（図１４及び図１５参照）。従って、親陳列台２が設置面に置かれる最下の陳列台の場合、第２連結体２３の前端２３１ａは、第２天板２１の前端２１ａと同じであってもよい。また、第２連結体２３を内部空間Ｘの後方を除く３方を包囲する壁体とすることで、内部空間Ｘのスペースを確保すると共に、内部構造が見えない目隠しとなる。従って、第２連結体２３の形状及び設置位置は、親陳列台２の内部空間Ｘを確保するものであれば、特に制限されない。
【００２３】
商品陳列台１０において、第１天板１１、第１底板１２及び第２天板２１の板厚が同じである。これにより、第１天板１１と第２天板２１で形成する陳列面及び第１底板１２と第２天板２１で形成する陳列面は、いずれも面一となる。また、商品陳列台１０は、子陳列台１と親陳列台２の高さは同じである。すなわち、第１連結体１３の高さと第２連結体２３の高さは同じである。これにより、親陳列台２を子陳列台とした際、２つで形成される陳列面を面一とすることができる。なお、親陳列台２が設置面に接する陳列台であれば、親陳列台２の高さを、子陳列台１の高さより大とすることができる。親陳列台２の高さが、子陳列台１の高さより大であっても、親陳列台２の内部空間Ｘに子陳列台１が収容された際、第１天板１は親陳列台２の前方載置部３及び後方載置部４に吊り下げ状態となるものの、第１天板１１と第２天板２１で形成する陳列面は面一となる。また、親陳列台２が設置面に接する陳列台であれば図１４及び図１５に示すように、第２底板２２の裏面にキャスター等を設置してもよい。
【００２４】
商品陳列台１０において、親陳列台２の後部側には、第２天板２１及び第２底板２２の後方端からくり抜かれた第１天板１１と第１底板１２に対応するくり抜き部５を有する。くり抜き部５は、平面視において、第１天板１１及び第１底板２１と同形状である。これにより、子陳列台１を親陳列台２の内部空間Ｘに収納した際、隙間のない大きな陳列面を形成することができる。なお、内部空間Ｘはくり抜き部５がそのまま上下方向にも連続している空間である。
【００２５】
親陳列台２において、第２天板２１のくり抜き部５には、第２天板２１の裏面と略面一の載置面を有するくり抜き部５の前方側の前方載置部３と、第２天板２１の裏面と略面一の載置面を有するくり抜き部５の後部側の後方載置部４が現れている。すなわち、前方載置部３は、子陳列台１の第１底板の一部（前方縁）を支持するものであり、平面視において、第２天板２１のくり抜き部５の前方の一部を遮断するように表れる。また、後方載置部４は、子陳列台１の第１底板の一部（後方縁）を支持するものであり、平面視において、くり抜き部５の後方の一部を遮断するように表れる。また、前方載置部３及び後方載置部４共に、第２天板２１の裏面と略面一の載置面を有することで、子陳列台１が前方載置部３及び後方載置部４に載せられた際、第１底板１２と第２天板２１が面一となる。前方載置部３は、本例では、くり抜き部５の前端から後方側へ数十（２０〜５０）ｍｍ程度、突出する左右方向に延びる板状体である。この板状体は第２天板２１の裏面に固定されている。後方載置部４は、本例では、くり抜き部５の後方両側端から内側へ数十（２０〜５０）ｍｍ程度、突出する幅寸法（前後方向の長さ）が数十（２０〜５０）ｍｍ程度の左右１対の支持体である。この支持体は第２天板２１の裏面と第２連結体２３に固定されている。
【００２６】
後方載置部４は、本例では、載置面４１の後方端から起立する後方係止壁４２を有する金具が使用されている。これにより、子陳列台１の後方への移動を規制でき、子陳列台１の設置が安定する。前方載置部３と後方載置部４間の空間は、可能な限り大きく採ることが、子陳列台１を親陳列台２の内部空間Ｘへ挿入する際、挿入し易くなる点で好ましい。本発明において、前方載置部３及び後方載置部４共に、図３及び図４の形態に限定されず、前方載置部３は、図１２及び図１３に示すような、板状体の中央部が切り欠かれた左右１対の支持体３ａ、３ａであってもよく、また、後方載置部４は、後方係止壁４２のない単なる１対の板状体４ａ、４ａであってもよく、また、図１３に示すように、左右方向に連続して延びる板状体４ｂであってもよい。後方載置部４が左右方向に連続して延びる板状体４ｂの場合、子陳列台１の第１連結体１３の後端は、第１天板１１及び第１底板１２の後端より、少なくとも板状体４ｂの前後幅寸法以上、内側に位置させる。これにより、子陳列台１は、親陳列台２の内部空間Ｘに収容できる。
【００２７】
また、親陳列台２の第２天板２１及び第２底板２２の左右方向の端部近傍には、把手用の１対の貫通孔２４、２５が形成されている。これにより、親陳列台２の移動が容易となり、また、親陳列台２を子陳列台とした際、その取り外し、取り付けが容易となる。また、第２底板２２に貫通孔２５を設けることで、第２天板２１と同形状となり、部品の種類が減らせる。
【００２８】
商品陳列台１０は、２つの陳列形態を選択的に採ることができる。すなわち、商品陳列台１０において、図１０に示すように、親陳列台２の内部空間Ｘに子陳列台１が収容された場合、第１天板１１と第２天板２１とが面一となり、図５に示すように、前方載置部３と後方載置部４に子陳列台１の第１底板１２が載せられた場合、第２天板２１と第１底板１２が面一となる。図１０の商品陳列台１０においては、第１天板１１と第２天板２１とで大陳列面を形成することができる。また、子陳列台１が親陳列台２に包含されているため、保管時、上下方向において省スペースが可能となる。
【００２９】
次に、商品陳列台１０の組み付け方法について、図５〜図１０を参照して説明する。先ず、図５及び図６の第１の陳列形態から図１０の第２の陳列形態とする方法について説明する。第１の陳列形態は、子陳列台１が、親陳列台２の前方載置部３及び後方載置部４に載せられ、第１底板１２と第２天板２１で第１段の陳列面を形成し、第１天板１１で第２段の陳列面を形成する。すなわち、第１の陳列形態は、ひな壇形状の陳列面を形成する。第１底板１２と第２天板２１間は、ほとんど隙間がなく、大きな陳列面を形成できる。なお、親陳列台２の第２底板２２上にも陳列面があり、これを利用すると、３段の陳列面となる。親陳列台２の後方は空いているため、後端を壁面につけると３方からのアクセスが可能となり、意匠性も高まり便利である。
【００３０】
次に、子陳列台１の第１天板１１の貫通孔１４に手を入れ、把手して子陳列台１を持ち上げ、子陳列台１を前方傾斜姿勢で下方へ下ろし、親陳列台２の内部空間Ｘに挿入する（図７及び図８参照）。前方載置部３と後方載置部４間の開口部は、前後方向において第２底板１２前後方向長さより小であり、斜め姿勢により、下方の移動させることができる。この際、子陳列台１の第１底板１２の後端が親陳列台２の第２天板２１の後端より前方に位置するように、前方載置部３の前後方向長さと第１連結部１３の第１天板１１及び第１底板１２からの前後方向の引っ込み寸法を採れば、商品陳列台１０の後方端が壁面に付いた状態においても組み付け及び組み外しが可能となる。
【００３１】
斜め姿勢の子陳列台１の第１底板１２が、親陳列台２の前方載置部３と後方載置部４より下方に位置した際、子陳列台１を起立姿勢に戻す（図９参照）。次に、その起立姿勢を維持しつつ更に、下方に移動させる。これにより、第１天板１１の裏面が前方載置部３と後方載置部４の載置面４１に当接して第２の陳列形態を形成する（図１０参照）。第２の陳列形態は、第１天板１１と第２天板２１が面一となり、大陳列面を形成する。なお、第２底板２２上を陳列面とすると、趣のある２段の陳列面を形成できる。
【００３２】
本発明の商品陳列台１０は、後端を壁面に接して設置すれば、３方向からのアクセスが可能となると共に、内部を隠すことができる。このような場合、第１の陳列形態から第２の陳列形態又は第２の陳列形態から第１の陳列形態への変更は、単に子陳列台１を適宜の角度で持ち上げたり、下ろしたりすることで可能となり、壁面はその変更の際の障害とはならない。その場合、親陳列台２の内部空間Ｘの前後の開口長さと子陳列台１の挿入姿勢における第１底板１２の水平長さとの関係で決定すればよい。この点について、図１７及び図１８を参照して説明する。図１７（Ａ）は、親陳列台２の上方に子陳列台１を位置させたものであり、前方傾斜姿勢における子陳列台１の第１底板１２の水平距離（線分ＡＥ）が親陳列台２の前後の載置部３、４間の開口寸法（線分ＧＨ）より小となるような条件である。これにより、子陳列台１は、そのまま下ろせば親陳列台２の内部空間Ｘに第１底板１２が入り込む。図１７（Ｂ）は、図１７（Ａ）の傾斜姿勢を保ち、下ろした場合、子陳列台１の第１連結体３と親陳列台２の前方載置部３が接触（接点Ｆ）し、第１底板１２の後端が親陳列台２の後方載置台４の内側端部に接触した図である。そして、図１８（Ｃ）の三角形ＢＣＥにおけるＣＥと三角形ＢＨＩにおけるＨＩの関係がＣＥ≦ＨＩとなれば、親陳列台２の平面視の大きさの範囲内における上下方向の空間内において、親陳列台２と子陳列台１の組み付けが可能となる。図１８（Ａ）〜（Ｃ）はＣＥ≦ＨＩを満たした商品陳列台であり、（Ａ）〜（Ｃ）に向けて、第１連結体３の前端からの引っ込み度を順に小とした図である。図１８（Ｃ）において、第１底板１２が親陳列台２の内部空間Ｘに挿入された場合、第１底板１２の前端が第２連結体２３に当たり、第１底板１２の後端が壁面に当たる可能性もあり、この場合、第１連結体１３の引っ込み度を若干、大きくなるように修正すればよい。
【００３３】
次に、図１０の第２の陳列形態から図５及び図６の第１の陳列形態とする方法について説明する。第２の陳列形態から第１の陳列形態とする方法は、前記第１の陳列形態から第２の陳列形態とする方法の逆の順序で行えばよい。すなわち、図１０の商品陳列台１０において、第１天板１１の貫通孔１４に手を入れ、第１天板１１を把手し、子陳列台１を持ち上げる（図９参照）。第１底板１２が、親陳列台２の前方載置部３と後方載置部４より下方に位置する状態において、子陳列台１を前方下り傾斜姿勢とする。平面視で、子陳列台１の前後方向長さが、前方載置部３と後方載置部４間の開口の前後方向長さより小の状態において、子陳列台１を上方に引き上げる。子陳列台１が親陳列台２の上方に位置したら、子陳列台１を起立姿勢とし、起立姿勢のまま第１底板１２を前方載置部３と後方載置部４に載せる。これにより、第１の陳列形態の商品陳列台１０が完成する（図５及び図６）。
【００３４】
第１の実施の形態の商品陳列台１０によれば、２段又は３段のひな壇状の第１の陳列形態と、１段の平台又は２段の第２の陳列形態を選択できる。また、第２の陳列形態では、子陳列台１が親陳列台２の内部空間Ｘに収納されており、保管の際には上方空間が空き、省スペース化が図れる。また、商品陳列台１０によれば、親陳列台２の平面視の大きさの範囲内における上下方向の空間内において、親陳列台２と子陳列台１の組み付けが可能となり、小さなスペースにおいて組み替えが可能となる。
【００３５】
次に、本発明の第２の実施の形態における商品陳列台を図１１を参照して説明する。図１１において、図１〜図１０と同一構成要素には同一符号を付して、その説明を省略し、異なる点について主に説明する。すなわち、図１１において、図１〜図１０と異なる点は、第１連結体及び第２連結体である。商品陳列台１０ａにおける第１連結体１３ａは、前後方向に離れて設置される２本の柱状体である。前方の柱状体１３ａは、第１天板１１及び第１底板１２の前端より後方に位置し、後方の柱状体１３ａは、第１天板１１及び第１底板１２の後端に位置する。商品陳列台１０ａにおける第２連結体２３ａは、くり抜き部５周りの第２天板２１及び第２底板２２の四箇所に離れて設置される４本の柱状体である。前方の１対の柱状体２３ａは、第２天板２１及び第２底板２２の前端より後方に位置し、後方の１対の柱状体２３ａは、第２天板２１及び第２底板２２の後端に位置する。第２の実施の形態の商品陳列台１０ａによれば、第１の実施の形態の商品陳列台１０と同様の効果を奏する。
【００３６】
次に、本発明の第３の実施の形態における商品陳列台を図１４及び図１５を参照して説明する。図１４及び図１５において、図１〜図１０と同一構成要素には同一符号を付して、その説明を省略し、異なる点について主に説明する。すなわち、図１４及び図１５において、図１〜図１０と異なる点は、第１の実施の形態の商品陳列台の親陳列台を子陳列台とする親陳列台（親の親）２Ａを設け、更にその親陳列台（親の親の親）２Ｂを設けた点である。すなわち、商品陳列台２０における親の親陳列台２Ａは、親陳列台２を内部に収容する内部空間を有するもので、親陳列台２と同様に、第３天板２１１、第３底板２１２、第３連結体２１３、前方載置部及び後方載置部を有し、親陳列台２よりも１周り大の寸法を有するものである。このような、親の親陳列台２Ａは、図１４に示すように、親陳列台２を前方載置部及び後方載置部に載せて段差陳列面を形成することができる。また、子陳列台１及び親陳列台２を内部に収容できる。
【００３７】
また、親の親の親陳列台２Ｂは、親の親陳列台２Ａを内部に収容する内部空間を有するもので、親の親陳列台２Ａと同様に、第４天板２１４、第４底板２１５、第４連結体２１６、前方載置部及び後方載置部を有し、親陳列台２Ａよりも１周り大の寸法を有するものである。このような、親の親の親陳列台２Ｂは、図１４に示すように、親の親陳列台２Ａを前方載置部及び後方載置部に載せて段差陳列面を形成することができる。また、子陳列台１、親陳列台２及び親の親陳列台２Ａを内部に収容できる。これにより、４つの陳列台による大陳列面を形成することができる。また、この収納形態は、不使用時の保管形態でもあり、上下方向における空間をコンパクト化したものである。このような商品陳列台２０は、商品陳列台１０と同様の効果を奏する他、４段の段差陳列面を形成できる。また、親陳列台は、上記第３の実施の形態以外に、更に設置数を増やして、より多くの多段陳列面を形成することもできる。
【００３８】
本発明は、上記実施の形態例に限定されず、種々の変形例を採ることができる。子陳列台１の第１天板１１及び第２底板１２の把手用の貫通孔は、設置を省略できる。この際、親陳列台２の第２天板２１ａのくり抜き部５側の縁部及び第２底板２２ａのくり抜き部５側の縁部に、それぞれ把手用の切欠部２４ａ、２５ａを形成すればよい。これにより、第２の陳列形態において、子陳列台１を容易に持ち上げることができる。本発明の商品陳列台は、木製又は樹脂製であってもよく、後方載置部は金属製であってもよい。
【００３９】
また、本発明において、載置部は、図１〜図１３の前後側の載置部に限定されず、左右側の載置部であってもよい（図１６参照）。すなわち、図１６の親陳列台２ｃは、第２天板２１ａのくり抜き部５に、第２天板２１ａの裏面と略面一の載置面３１１ｂ、４１１ｂを有する左右側の載置部３ｂ、４ｂが現れたものである。この場合、子陳列台１を親陳列台２の内部空間Ｘに収容させる際、子陳列台１を横斜め姿勢にして入れ込むことになる。横斜め姿勢とは、正面から見て、右傾斜姿勢又は左傾斜姿勢を言う。本例においても、第１の陳列形態及び第２の陳列形態を採ることができ、商品陳列台１０と同様の効果を奏する。
【００４０】
次に、本発明の第４の実施の形態における商品陳列台を図１９を参照して説明する。図１９において、図６と同一構成要素には同一符号を付して、その説明を省略し、異なる点について主に説明する。すなわち、図１９の商品陳列台１０Ｃにおいて、図６の商品陳列台１０と異なる点は、子陳列台１Ｃの第１底板１２Ｃの厚みと、前後の載置部３Ｃ、４Ｃの載置面高さと、第１連結部１３Ｃの高さである。すなわち、第１底板１２Ｃの板厚が、図６の第１天板１１及び第２天板２１の板厚よりｈ分、大である。また、前後の載置部３Ｃ（前方の載置部は図１９では隠れて見えない。）、４Ｃの載置面は、第２天板の裏面より下方に位置し、且つ載置部３Ｃ、４Ｃの載置面高さは、図６の載置部３、４よりｈ分低い。また、第１連結部１３Ｃの高さ（上下方向長さ）は、図６の第１連結部１３の高さより、低い。第３の実施の形態の商品陳列台１０Ｃにおいても、商品陳列台１０と同様に、親陳列台２Ｃの内部空間Ｘに子陳列台１Ｃが収容された場合、第１天板１１と第２天板２１とが面一となり、図１９に示すように、前方載置部３Ｃと後方載置部４Ｃに子陳列台１Ｃの第１底板１２Ｃが載せられた場合、第２天板２１と第１底板１２Ｃが面一となる。
【００４１】
本発明においては、第１天板、第１底板及び第２天板の板厚が同じ場合と、第１天板と第２天板の板厚が同じで、第１底板の板厚が第１天板や第２天板の板厚と異なる場合を含む。
【００４２】
次に、本発明の第５の実施の形態における商品陳列台を図２０及び図２１を参照して説明する。図２０及び図２１において、図１４及び図１５と同一構成要素には同一符号を付して、その説明を省略し、異なる点について主に説明する。すなわち、図２０及び図２１の商品陳列台２０Ｄにおいて、図１４及び図１５の商品陳列台２０と異なる点は、親陳列台の第２底板はくり抜きのない板状体を採用した点である。すなわち、図１４及び図１５の商品陳列台２０におけるくり抜き部は、親陳列台の第２天板及び第２底板ともにくり抜かれ、内部空間Ｘを形成しているが、本例の商品陳列台２０Ｄは、親陳列台の後部側は、第２天板の後方端からくり抜かれているものの、第１底板に対応する第２底板には、くり抜き部が形成されていない。そして、商品陳列台２０Ｄは、板厚分ずつ子陳列台の連結体の高さが低くなっている。すなわち、（連結体２３Ｄの高さＨ２）＝（連結体１３Ｄの高さＨ１＋板厚ｔ）であり、（連結体２３Ｅの高さＨ３）＝（連結体２３Ｄの高さＨ２＋板厚ｔ）であり、（連結体２３Ｆの高さＨ４）＝（連結体２３Ｅの高さＨ３＋板厚ｔ）である。商品陳列台２０Ｄにおいても、商品陳列台１０や２０と同様に、第１の陳列形態と第２の陳列形態のいずれかを選択できる。
【産業上の利用可能性】
【００４３】
本発明によれば、部品の種類が少なく、１台（１組み）で、２種以上の陳列面を選択でき、演出効果に優れた商品陳列台とすることができ、コストパーフォマンスに優れる。また、顧客も後方を除く、３方から商品にアクセスでき、商品を手に取り易い。
【符号の説明】
【００４４】
１      子陳列台
２      親陳列台
３      前方載置部
４      後方載置部
５      くり抜き部
１０    商品陳列台
１１    第１天板
１２    第１底板
１３    第１連結体
１４、１５、２４、２５    把手用の貫通孔
２１    第２天板
２２    第２底板
２３    第２連結体
Ｘ      内部空間 
【図１】
0006796947.tif 000002
【図２】
0006796947.tif 000003
【図３】
0006796947.tif 000004
【図４】
0006796947.tif 000005
【図５】
0006796947.tif 000006
【図６】
0006796947.tif 000007
【図７】
0006796947.tif 000008
【図８】
0006796947.tif 000009
【図９】
0006796947.tif 000010
【図１０】
0006796947.tif 000011
【図１１】
0006796947.tif 000012
【図１２】
0006796947.tif 000013
【図１３】
0006796947.tif 000014
【図１４】
0006796947.tif 000015
【図１５】
0006796947.tif 000016
【図１６】
0006796947.tif 000017
【図１７】
0006796947.tif 000018
【図１８】
0006796947.tif 000019
【図１９】
0006796947.tif 000020
【図２０】
0006796947.tif 000021
【図２１】
0006796947.tif 000022